【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
工具マガジンを有する変換先加工機と、前記変換先加工機で加工処理を実行する時に用いる、１以上の工具を含む変換先工具セットと、を含む変換先環境と、
変換対象ＮＣプログラムを、前記加工処理を実行するために用いる変換先用ＮＣプログラムに変換する、変換システムと、
を含む加工処理システムにおける前記変換システムによるＮＣプログラム変換方法であって、
前記変換先加工機の主軸の剛性に関する情報の入力を受け付け、
前記受け付けた剛性に関する情報に基づいて、前記変換対象ＮＣプログラムを前記変換先用ＮＣプログラムに変換する、第１の変換処理を行う
ＮＣプログラム変換処理方法。
【請求項２】
請求項１記載のＮＣプログラム変換処理方法であって、
前記変換先工具セットに含まれる各工具を特定可能な情報である工具特定情報と、前記各工具を収容させておくべき前記工具マガジン内のスロットを示す位置情報とを表示させる
ＮＣプログラム変換処理方法。
【請求項３】
請求項１記載のＮＣプログラム変換処理方法であって、
前記変換先工具セットに含まれる各工具を特定可能な情報である工具特定情報と、前記各工具を収容させておくべき前記工具マガジン内のスロットを示す位置情報と、前記変換先用ＮＣプログラムに含める
ＮＣプログラム変換処理方法。
【請求項４】
請求項１記載のＮＣプログラム変換処理方法であって、
前記変換先工具セットに含まれる各工具に対して仮想スロット番号を割り当て、
前記仮想スロット番号に基づいて、前記第１の変換処理を行うことで、前記変換先用ＮＣプログラムに前記仮想スロット番号を指定した工具交換命令を含め、
前記第１の変換処理後に、前記変換先工具セットに含まれる各工具に対する実際のスロット番号を特定し、
前記変換先用ＮＣプログラムの前記仮想スロット番号を前記実際のスロット番号に更新する
ＮＣプログラム変換処理方法。
【請求項５】
請求項４記載のＮＣプログラム変換処理方法であって、
前記第１の変換処理を開始するための画面オブジェクトを含む第１の画面を表示させ、
前記第１の画面とは異なる画面であって、前記実際のスロット番号の入力領域と、前記実際のスロット番号に更新後の前記変換先用ＮＣプログラムをダウンロードするための画面オブジェクトを含む、第２の画面とを表示させる
ＮＣプログラム変換処理方法。
【請求項６】
請求項１記載のＮＣプログラム変換処理方法であって、
前記第１の変換処理で基とする、前記変換先加工機の主軸の剛性に関する情報の入力を受け付けていない場合は、前記第１の変換処理の開始を抑止するＮＣプログラム変換処理方法。
【請求項７】
請求項１記載のＮＣプログラム変換処理方法であって、
前記第１の変換処理では、前記剛性に関する情報に基づいて、工具径補正、工具長補正、送り速度、工具摩耗補正、又は切削速度の少なくとも一つ命令を生成し、
前記生成した命令を前記変換先用ＮＣプログラムに追加する、又は前記生成した命令と同種の命令のパラメータを更新する
ＮＣプログラム変換処理方法。
【請求項８】
請求項１記載のＮＣプログラム変換処理方法であって、
前記入力された前記剛性に関する情報を、特定可能な識別情報を付与して記憶部に記憶させるとともに、前記剛性に関する情報を用いて変換された前記変換先用ＮＣプログラム中に、前記識別情報を記述する
ＮＣプログラム変換処理方法。
【請求項９】
請求項１記載のＮＣプログラム変換処理方法であって、
複数の前記変換先加工機の主軸の剛性に関する情報を記憶部に記憶し、
変換先加工機の指定を受け、
前記第１の変換処理で、前記変換対象ＮＣプログラムを、指定を受け付けた前記変換先加工機で前記加工処理を行うための前記変換先用ＮＣプログラムに変換する
ＮＣプログラム変換処理方法。
【請求項１０】
工具マガジンを有する変換先加工機と、前記変換先加工機で加工処理を実行する時に用いる、１以上の工具を含む変換先工具セットと、を含む変換先環境と、
変換対象ＮＣプログラムを、前記加工処理を実行するために用いる変換先用ＮＣプログラムに変換する、変換システムと
を含む加工処理システムであって、
前記変換システムは：
前記変換先加工機の主軸の剛性に関する情報の入力を受け付け、
前記受け付けた剛性に関する情報に基づいて、前記変換対象ＮＣプログラムを前記変換先用ＮＣプログラムに変換する、第１の変換処理を行う
加工処理システム。
【請求項１１】
請求項１０記載の加工処理システムであって、前記変換システムは：
前記変換先工具セットに含まれる各工具を特定可能な情報である工具特定情報と、前記各工具を収容させておくべき前記工具マガジン内のスロットを示す位置情報とを表示させる
加工処理システム。
【請求項１２】
請求項１０記載の加工処理システムであって、前記変換システムは：
前記変換先工具セットに含まれる各工具を特定可能な情報である工具特定情報と、前記各工具を収容させておくべき前記工具マガジン内のスロットを示す位置情報と、前記変換先用ＮＣプログラムに含める
加工処理システム。
【請求項１３】
請求項１０記載の加工処理システムであって、前記変換システムは：
前記変換先工具セットに含まれる各工具に対して仮想スロット番号を割り当て、
前記仮想スロット番号に基づいて、前記第１の変換処理を行うことで、前記変換先用ＮＣプログラムに前記仮想スロット番号を指定した工具交換命令を含め、
前記第１の変換処理後に、前記変換先工具セットに含まれる各工具に対する実際のスロット番号を特定し、
前記変換先用ＮＣプログラムの前記仮想スロット番号を前記実際のスロット番号に更新する
加工処理システム。
【請求項１４】
請求項１３記載の加工処理システムであって、前記変換システムは：
前記第１の変換処理を開始するための画面オブジェクトを含む第１の画面を表示させ、
前記第１の画面とは異なる画面であって、前記実際のスロット番号の入力領域と、前記実際のスロット番号に更新後の前記変換先用ＮＣプログラムをダウンロードするための画面オブジェクトを含む、第２の画面とを表示させる
加工処理システム。
【請求項１５】
請求項１０記載の加工処理システムであって、前記変換システムは：
前記第１の変換処理で基とする、前記変換先加工機の主軸の剛性に関する情報の入力を受け付けていない場合は、前記第１の変換処理の開始を抑止する
加工処理システム。
【請求項１６】
請求項１０記載の加工処理システムであって、前記変換システムは：
前記第１の変換処理では、前記剛性に関する情報に基づいて、工具径補正、工具長補正、送り速度、工具摩耗補正、又は切削速度の少なくとも一つ命令を生成し、
前記生成した命令を前記変換先用ＮＣプログラムに追加する、又は前記生成した命令と同種の命令のパラメータを更新する
加工処理システム。
【請求項１７】
請求項１０記載の加工処理システムであって、前記変換システムは：
前記入力された前記剛性に関する情報を、特定可能な識別情報を付与して記憶部に記憶させるとともに、前記剛性に関する情報を用いて変換された前記変換先用ＮＣプログラム中に、前記識別情報を記述する
加工処理システム。
【請求項１８】
請求項１０記載の加工処理システムであって、前記変換システムは：
複数の前記変換先加工機の主軸の剛性に関する情報を記憶部に記憶し、
変換先加工機の指定を受け、
前記第１の変換処理で、前記変換対象ＮＣプログラムを、指定を受け付けた前記変換先加工機で前記加工処理を行うための前記変換先用ＮＣプログラムに変換する
加工処理システム。